(57)【要約】【課題】カット位置がずれても、ずれの発生による視覚的な影響を低減するのに好適な連続印刷用画像処理システムを提供する。【解決手段】ホスト端末１００は、連続印刷される複数の画像について印刷ジョブを取得し、印刷装置２００の実際のカット位置が目標のカット位置からずれる最大ずれ量を示すカット誤差情報を取得する。そして、取得した印刷ジョブおよびカット誤差情報に基づいて、隣接画像群のそれぞれから最大ずれ量に応じたサイズの境界部分を取得し、取得した境界部分に対してグラデーション処理を行う。【選択図】図１
2007293658.tif 000002
【特許請求の範囲】
【請求項１】
複数の画像をそれら境界に余白を形成せずに印刷媒体に連続印刷し、前記各画像の境界
の位置で前記印刷媒体を切り取る印刷装置に適用する連続印刷用画像処理システムであっ
て、
前記複数の画像について前記画像データを取得する画像データ取得手段と、前記画像デ
ータ取得手段で取得した画像データに基づいて、隣接する画像の境界部分において視覚的
特徴に連続性が形成されるように、前記隣接する画像のうち少なくとも一方の画像を修正
する画像修正手段とを備えることを特徴とする連続印刷用画像処理システム。
【請求項２】
請求項１において、
前記画像修正手段は、前記隣接する画像のうち一方の画像の境界部分および他方の画像
の境界部分が前記両方の境界部分の視覚的特徴を含むように前記両方の境界部分を修正す
ることを特徴とする連続印刷用画像処理システム。
【請求項３】
請求項２において、
前記画像修正手段は、前記両方の境界部分のうち前記隣接する画像の境界からそれぞれ
最も離れた最遠端の一方から他方に向けて前記一方の境界部分の基色が薄くなり、かつ、
前記最遠端の他方から一方に向けて前記他方の境界部分の基色が薄くなるように前記両方
の境界部分を修正することを特徴とする連続印刷用画像処理システム。
【請求項４】
請求項２において、
前記画像修正手段は、前記一方の境界部分および前記他方の境界部分を前記隣接する画
像の境界に直交する方向にそれぞれ伸長させ、伸長させた前記一方の境界部分および前記
他方の境界部分を所定の透過率で合成することを特徴とする連続印刷用画像処理システム
。
【請求項５】
請求項１ないし４のいずれか１項において、
さらに、前記印刷装置の実際のカット位置が目標のカット位置からずれる度合いを示す
カット誤差情報を取得するカット誤差情報取得手段を備え、
前記画像修正手段は、前記カット誤差情報取得手段で取得したカット誤差情報に基づい
て前記画像を修正することを特徴とする連続印刷用画像処理システム。
【請求項６】
請求項１ないし５のいずれか１項において、
さらに、前記画像の隣接方向の向きを決定する向き決定手段とを備えることを特徴とす
る連続印刷用画像処理システム。
【請求項７】
請求項１ないし５のいずれか１項において、
さらに、前記隣接する画像の境界であって１つの前記画像の異なる境界に対してそれぞ
れ余白を設定するか否かを示す余白設定情報を前記複数の画像について取得する余白設定
情報取得手段と、前記余白設定情報取得手段で取得した余白設定情報に基づいて、前記境
界に余白を設定しない画像同士、または前記境界に余白を設定する画像同士が当該境界を
共通にして隣接するように、前記画像の隣接方向の向きを決定する向き決定手段とを備え
、
前記画像修正手段は、前記境界に余白を設定せずに隣接する画像の境界部分を修正する
ことを特徴とする連続印刷用画像処理システム。
【請求項８】
請求項１ないし５のいずれか１項において、
さらに、前記複数の画像の各境界ごとに当該境界と他の前記画像の各境界とをそれぞれ
対比してそれら境界に余白を設定するか否かを判定する余白判定手段と、前記余白判定手
段の判定結果に基づいて、前記境界に余白を設定しない画像同士、または前記境界に余白
を設定する画像同士が当該境界を共通にして隣接するように、前記画像の隣接方向の向き
を決定する向き決定手段とを備え、
前記画像修正手段は、前記境界に余白を設定せずに隣接する画像の境界部分を修正する
ことを特徴とする連続印刷用画像処理システム。
【請求項９】
複数の画像をそれら境界に余白を形成せずに印刷媒体に連続印刷し、前記各画像の境界
の位置で前記印刷媒体を切り取る印刷装置に適用する連続印刷用画像処理プログラムであ
って、
前記複数の画像について前記画像データを取得する画像データ取得ステップと、前記画
像データ取得ステップで取得した画像データに基づいて、隣接する画像の境界部分におい
て視覚的特徴に連続性が形成されるように、前記隣接する画像のうち少なくとも一方の画
像を修正する画像修正ステップとからなる処理をコンピュータに実行させるためのプログ
ラムを含むことを特徴とする連続印刷用画像処理プログラム。
【請求項１０】
複数の画像をそれら境界に余白を形成せずに印刷媒体に連続印刷し、前記各画像の境界
の位置で前記印刷媒体を切り取る印刷装置に適用する連続印刷用画像処理方法であって、
前記複数の画像について前記画像データを取得する画像データ取得ステップと、前記画
像データ取得ステップで取得した画像データに基づいて、隣接する画像の境界部分におい
て視覚的特徴に連続性が形成されるように、前記隣接する画像のうち少なくとも一方の画
像を修正する画像修正ステップとを含むことを特徴とする連続印刷用画像処理方法。
【発明の詳細な説明】
【技術分野】
【０００１】
本発明は、境界に余白を形成せずに連続印刷される画像を処理するシステムおよびプロ
グラム、並びに方法に係り、特に、カット位置がずれても、ずれの発生による視覚的な影
響を低減するのに好適な連続印刷用画像処理システムおよび連続印刷用画像処理プログラ
ム、並びに連続印刷用画像処理方法に関する。
【背景技術】
【０００２】
従来、複数の画像をロール紙に連続印刷し、各画像の境界の位置でロール紙を切り取る
印刷装置としては、例えば、特許文献１〜３記載の技術が知られている。
特許文献１記載の技術は、ホストコンピュータからカット位置調整パターンのデータを
受信し、ロール紙に印刷を行う。カット位置調整パターンは、プリンタの主走査方向に「
１」〜「１７」までが順に等間隔に並んだ数字と、各数字に対応する升目とを備える。カ
ット位置調整パターンの印刷後、ロール紙は、所定の紙送り量で紙送りされて切断され、
切断位置と一致する境界線に対応する数字が読み取られ、調整データとしてホストコンピ
ュータに入力される。
【０００３】
特許文献２記載の技術は、１ページ分のプリントが終ると、このページに後端側余白を
残すようにペーパを送出しカッタでカットする一方、ロール側ペーパの先端をカッタから
一定量巻き戻してからプリント開始する。巻き戻す量は、ペーパ先端とプリントヘッドと
の間隔がプリント用紙の先端側余白寸法にほぼ等しくなるように設定する。また、電源投
入時にペーパを微少量巻き戻してカッタを作動させる。
【０００４】
特許文献３記載の技術は、ペーパが搬送されると、画像コマのサイズ情報およびプリン
トマスク情報に基づきカットマークの偏差σ等を読み取り、ペーパの搬送量Ｘ（Ａ＋σ）
を設定してペーパガイド幅を変更する。次に、カットマークを検出してから距離Ｘだけペ
ーパを搬送し、ペーパを切断してカットした画像コマサイズをソータへ送信する。このと
き、カットマークを検出すると、カットマーク対を検出し、接合部を含む領域の両端を切
断するとともに不要であることを示す信号を送信する。
【特許文献１】特開２００３−２３１３１６号公報
【特許文献２】特開平６−１８３０８２号公報
【特許文献３】特開平６−３４７９８６号公報
【発明の開示】
【発明が解決しようとする課題】
【０００５】
このように、特許文献１〜３記載の技術にあってはいずれも、カット位置を調整し、実
際のカット位置が目標のカット位置からずれる量を低減するものである。しかしながら、
精密に調整を行っても一定の限界があり、多少のずれはどうしても発生してしまう。その
ため、複数の画像を余白なしに連続印刷する場合、画像の境界部分が切断されたり、隣接
する画像の境界部分が入り込んだりし、ずれの発生による視覚的な影響が大きいという問
題があった。
【０００６】
そこで、本発明は、このような従来の技術の有する未解決の課題に着目してなされたも
のであって、カット位置がずれても、ずれの発生による視覚的な影響を低減するのに好適
な連続印刷用画像処理システムおよび連続印刷用画像処理プログラム、並びに連続印刷用
画像処理方法を提供することを目的としている。
【課題を解決するための手段】
【０００７】
〔形態１〕  上記目的を達成するために、形態１の連続印刷用画像処理システムは、
複数の画像をそれら境界に余白を形成せずに印刷媒体に連続印刷し、前記各画像の境界
の位置で前記印刷媒体を切り取る印刷装置に適用する連続印刷用画像処理システムであっ
て、
前記複数の画像について前記画像データを取得する画像データ取得手段と、前記画像デ
ータ取得手段で取得した画像データに基づいて、隣接する画像の境界部分において視覚的
特徴に連続性が形成されるように、前記隣接する画像のうち少なくとも一方の画像を修正
する画像修正手段とを備えることを特徴とする。
【０００８】
このような構成であれば、画像データ取得手段により、複数の画像について画像データ
が取得され、画像修正手段により、取得された画像データに基づいて、隣接する画像の境
界部分において視覚的特徴に連続性が形成されるように、隣接する画像のうち少なくとも
一方の画像が修正される。
これにより、隣接する画像の境界部分において視覚的特徴に連続性が形成されるので、
カット位置がずれても、ずれの発生による視覚的な影響を低減することができるという効
果が得られる。
【０００９】
ここで、視覚的特徴としては、色、模様若しくは形状、またはそれらの組み合わせが含
まれる。以下、形態９の連続印刷用画像処理プログラム、および形態１７の連続印刷用画
像処理方法において同じである。
また、複数の画像についての画像データとは、それら各画像を構成するデータをいう。
このとき、画像データと画像は、１：ｎ（ｎ≧１）で対応させることができる。例えば、
１つの画像を１つの画像データにより構成してもよいし、複数の画像を１つの画像データ
により構成してもよい。以下、形態９の連続印刷用画像処理プログラム、および形態１７
の連続印刷用画像処理方法において同じである。
【００１０】
また、画像データ取得手段は、画像データを取得するようになっていればどのような構
成であってもよく、例えば、入力装置等から画像データを入力してもよいし、外部の装置
等から画像データを獲得または受信してもよいし、記憶装置や記憶媒体等から画像データ
を読み出してもよい。したがって、取得には、少なくとも入力、獲得、受信および読出が
含まれる。以下、取得の概念については同じである。
【００１１】
また、本システムは、単一の装置、端末その他の機器として実現するようにしてもよい
し、複数の装置、端末その他の機器を通信可能に接続したネットワークシステムとして実
現するようにしてもよい。後者の場合、各構成要素は、それぞれ通信可能に接続されてい
れば、複数の機器等のうちいずれに属していてもよい。
【００１２】
〔形態２〕  さらに、形態２の連続印刷用画像処理システムは、形態１の連続印刷用画
像処理システムにおいて、
前記画像修正手段は、前記隣接する画像のうち一方の画像の境界部分および他方の画像
の境界部分が前記両方の境界部分の視覚的特徴を含むように前記両方の境界部分を修正す
ることを特徴とする。
このような構成であれば、画像修正手段により、隣接する画像のうち一方の画像の境界
部分および他方の画像の境界部分が両方の境界部分の視覚的特徴を含むように両方の境界
部分が修正される。
【００１３】
〔形態３〕  さらに、形態３の連続印刷用画像処理システムは、形態２の連続印刷用画
像処理システムにおいて、
前記画像修正手段は、前記両方の境界部分のうち前記隣接する画像の境界からそれぞれ
最も離れた最遠端の一方から他方に向けて前記一方の境界部分の基色が薄くなり、かつ、
前記最遠端の他方から一方に向けて前記他方の境界部分の基色が薄くなるように前記両方
の境界部分を修正することを特徴とする。
【００１４】
このような構成であれば、画像修正手段により、最遠端の一方から他方に向けて一方の
境界部分の基色が薄くなり、かつ、最遠端の他方から一方に向けて他方の境界部分の基色
が薄くなるように両方の境界部分が修正される。
これにより、境界部分が単一色である画像または境界部分の色の変化が単調な画像につ
いては、ずれの発生による視覚的な影響を効果的に低減することができるという効果が得
られる。
【００１５】
〔形態４〕  さらに、形態４の連続印刷用画像処理システムは、形態２の連続印刷用画
像処理システムにおいて、
前記画像修正手段は、前記一方の境界部分および前記他方の境界部分を前記隣接する画
像の境界に直交する方向にそれぞれ伸長させ、伸長させた前記一方の境界部分および前記
他方の境界部分を所定の透過率で合成することを特徴とする。
【００１６】
このような構成であれば、画像修正手段により、一方の境界部分および他方の境界部分
が境界に直交する方向にそれぞれ伸長し、伸長した一方の境界部分および他方の境界部分
が所定の透過率で合成される。
これにより、ずれの発生による視覚的な影響を低減することができるとともに、境界部
分が伸長して合成されるので、画像のサイズが変更される度合いを低減することができる
という効果が得られる。
【００１７】
ここで、境界部分の伸長には、境界部分を拡大すること、境界部分をコピーしてなるコ
ピー画像と原境界部分を結合すること、境界部分をある軸周りに回転させてなる回転画像
と原境界部分を結合すること、境界部分にモザイクをかけてなるモザイク画像と原境界部
分を結合することが含まれる。以下、形態１２の連続印刷用画像処理プログラム、および
形態２０の連続印刷用画像処理方法において同じである。
【００１８】
〔形態５〕  さらに、形態５の連続印刷用画像処理システムは、形態１ないし４のいず
れか１の連続印刷用画像処理システムにおいて、
さらに、前記印刷装置の実際のカット位置が目標のカット位置からずれる度合いを示す
カット誤差情報を取得するカット誤差情報取得手段を備え、
前記画像修正手段は、前記カット誤差情報取得手段で取得したカット誤差情報に基づい
て前記画像を修正することを特徴とする。
【００１９】
このような構成であれば、カット誤差情報取得手段により、カット誤差情報が取得され
、画像修正手段により、取得されたカット誤差情報に基づいて画像が修正される。
これにより、カット位置のずれの度合いに応じて画像を修正することができるという効
果が得られる。
【００２０】
〔形態６〕  さらに、形態６の連続印刷用画像処理システムは、形態１ないし５のいず
れか１の連続印刷用画像処理システムにおいて、
さらに、前記画像の隣接方向の向きを決定する向き決定手段とを備えることを特徴とす
る。
【００２１】
このような構成であれば、向き決定手段により、画像の隣接方向の向きが決定され、画
像修正手段により、隣接する画像の境界部分が修正される。
これにより、例えば、隣接する画像の境界部分の色差が少なくなるように画像の隣接方
向の向きを決定すれば、隣接する画像の境界部分において色差の変化を低減することがで
きるので、ずれの発生による視覚的な影響をさらに低減することができるという効果が得
られる。
【００２２】
〔形態７〕  さらに、形態７の連続印刷用画像処理システムは、形態１ないし５のいず
れか１の連続印刷用画像処理システムにおいて、
さらに、前記隣接する画像の境界であって１つの前記画像の異なる境界に対してそれぞ
れ余白を設定するか否かを示す余白設定情報を前記複数の画像について取得する余白設定
情報取得手段と、前記余白設定情報取得手段で取得した余白設定情報に基づいて、前記境
界に余白を設定しない画像同士、または前記境界に余白を設定する画像同士が当該境界を
共通にして隣接するように、前記画像の隣接方向の向きを決定する向き決定手段とを備え
、
前記画像修正手段は、前記境界に余白を設定せずに隣接する画像の境界部分を修正する
ことを特徴とする。
【００２３】
このような構成であれば、余白設定情報取得手段により、複数の画像について余白設定
情報が取得され、向き決定手段により、取得された余白設定情報に基づいて、境界に余白
を設定しない画像同士、または境界に余白を設定する画像同士がその境界を共通にして隣
接するように、画像の隣接方向の向きが決定される。そして、画像修正手段により、境界
に余白を設定せずに隣接する画像の境界部分が修正される。
【００２４】
これにより、余白なしの画像と余白ありの画像を混在させて連続印刷する場合に、それ
らが隣接する機会が低減するので、余白なしの画像の境界に余白が発生せず、無駄紙を低
減することができるという効果が得られる。また、余白なしの画像を隣接させても、その
境界部分において視覚的特徴に連続性が形成されるので、ずれの発生による視覚的な影響
を低減することができるという効果が得られる。
【００２５】
ここで、複数の画像についての余白設定情報とは、それら各画像ごとにその画像の境界
に余白を設定するか否かを示す情報をいう。このとき、余白設定情報と画像は、１：ｎ（
ｎ≧１）で対応させることができる。例えば、１つの画像に対して１つの余白設定情報に
より余白の有無を設定してもよいし、複数の画像に対して１つの余白設定情報により余白
の有無を設定してもよい。以下、形態１５の連続印刷用画像処理プログラム、および形態
２３の連続印刷用画像処理方法において同じである。
【００２６】
〔形態８〕  さらに、形態８の連続印刷用画像処理システムは、形態１ないし５のいず
れか１の連続印刷用画像処理システムにおいて、
さらに、前記複数の画像の各境界ごとに当該境界と他の前記画像の各境界とをそれぞれ
対比してそれら境界に余白を設定するか否かを判定する余白判定手段と、前記余白判定手
段の判定結果に基づいて、前記境界に余白を設定しない画像同士、または前記境界に余白
を設定する画像同士が当該境界を共通にして隣接するように、前記画像の隣接方向の向き
を決定する向き決定手段とを備え、
前記画像修正手段は、前記境界に余白を設定せずに隣接する画像の境界部分を修正する
ことを特徴とする。
【００２７】
このような構成であれば、余白判定手段により、複数の画像の各境界ごとにその境界と
他の画像の各境界とがそれぞれ対比されてそれら境界に余白を設定するか否かが判定され
、向き決定手段により、その判定結果に基づいて、境界に余白を設定しない画像同士、ま
たは境界に余白を設定する画像同士がその境界を共通にして隣接するように、画像の隣接
方向の向きが決定される。そして、画像修正手段により、境界に余白を設定せずに隣接す
る画像の境界部分が修正される。
【００２８】
これにより、余白なしの画像と余白ありの画像を混在させて連続印刷する場合に、それ
らが隣接する機会が低減するので、余白なしの画像の境界に余白が発生せず、無駄紙を低
減することができるという効果が得られる。また、余白なしの画像を隣接させても、その
境界部分において視覚的特徴に連続性が形成されるので、ずれの発生による視覚的な影響
を低減することができるという効果が得られる。
【００２９】
〔形態９〕  一方、上記目的を達成するために、形態９の連続印刷用画像処理プログラ
ムは、
複数の画像をそれら境界に余白を形成せずに印刷媒体に連続印刷し、前記各画像の境界
の位置で前記印刷媒体を切り取る印刷装置に適用する連続印刷用画像処理プログラムであ
って、
前記複数の画像について前記画像データを取得する画像データ取得ステップと、前記画
像データ取得ステップで取得した画像データに基づいて、隣接する画像の境界部分におい
て視覚的特徴に連続性が形成されるように、前記隣接する画像のうち少なくとも一方の画
像を修正する画像修正ステップとからなる処理をコンピュータに実行させるためのプログ
ラムを含むことを特徴とする。
【００３０】
このような構成であれば、コンピュータによってプログラムが読み取られ、読み取られ
たプログラムに従ってコンピュータが処理を実行すると、形態１の連続印刷用画像処理シ
ステムと同等の作用および効果が得られる。
【００３１】
〔形態１０〕  さらに、形態１０の連続印刷用画像処理プログラムは、形態９の連続印
刷用画像処理プログラムにおいて、
前記画像修正ステップは、前記隣接する画像のうち一方の画像の境界部分および他方の
画像の境界部分が前記両方の境界部分の視覚的特徴を含むように前記両方の境界部分を修
正することを特徴とする。
このような構成であれば、コンピュータによってプログラムが読み取られ、読み取られ
たプログラムに従ってコンピュータが処理を実行すると、形態２の連続印刷用画像処理シ
ステムと同等の作用および効果が得られる。
【００３２】
〔形態１１〕  さらに、形態１１の連続印刷用画像処理プログラムは、形態１０の連続
印刷用画像処理プログラムにおいて、
前記画像修正ステップは、前記両方の境界部分のうち前記隣接する画像の境界からそれ
ぞれ最も離れた最遠端の一方から他方に向けて前記一方の境界部分の基色が薄くなり、か
つ、前記最遠端の他方から一方に向けて前記他方の境界部分の基色が薄くなるように前記
両方の境界部分を修正することを特徴とする。
このような構成であれば、コンピュータによってプログラムが読み取られ、読み取られ
たプログラムに従ってコンピュータが処理を実行すると、形態３の連続印刷用画像処理シ
ステムと同等の作用および効果が得られる。
【００３３】
〔形態１２〕  さらに、形態１２の連続印刷用画像処理プログラムは、形態１０の連続
印刷用画像処理プログラムにおいて、
前記画像修正ステップは、前記一方の境界部分および前記他方の境界部分を前記隣接す
る画像の境界に直交する方向にそれぞれ伸長させ、伸長させた前記一方の境界部分および
前記他方の境界部分を所定の透過率で合成することを特徴とする。
このような構成であれば、コンピュータによってプログラムが読み取られ、読み取られ
たプログラムに従ってコンピュータが処理を実行すると、形態４の連続印刷用画像処理シ
ステムと同等の作用および効果が得られる。
【００３４】
〔形態１３〕  さらに、形態１３の連続印刷用画像処理プログラムは、形態９ないし１
２のいずれか１の連続印刷用画像処理プログラムにおいて、
さらに、前記印刷装置の実際のカット位置が目標のカット位置からずれる度合いを示す
カット誤差情報を取得するカット誤差情報取得ステップからなる処理をコンピュータに実
行させるためのプログラムを含み、
前記画像修正ステップは、前記カット誤差情報取得ステップで取得したカット誤差情報
に基づいて前記画像を修正することを特徴とする。
このような構成であれば、コンピュータによってプログラムが読み取られ、読み取られ
たプログラムに従ってコンピュータが処理を実行すると、形態５の連続印刷用画像処理シ
ステムと同等の作用および効果が得られる。
【００３５】
〔形態１４〕  さらに、形態１４の連続印刷用画像処理プログラムは、形態９ないし１
３のいずれか１の連続印刷用画像処理プログラムにおいて、
さらに、前記画像の隣接方向の向きを決定する向き決定ステップからなる処理をコンピ
ュータに実行させるためのプログラムを含むことを特徴とする。
このような構成であれば、コンピュータによってプログラムが読み取られ、読み取られ
たプログラムに従ってコンピュータが処理を実行すると、形態６の連続印刷用画像処理シ
ステムと同等の作用および効果が得られる。
【００３６】
〔形態１５〕  さらに、形態１５の連続印刷用画像処理プログラムは、形態９ないし１
３のいずれか１の連続印刷用画像処理プログラムにおいて、
さらに、前記隣接する画像の境界であって１つの前記画像の異なる境界に対してそれぞ
れ余白を設定するか否かを示す余白設定情報を前記複数の画像について取得する余白設定
情報取得ステップと、前記余白設定情報取得ステップで取得した余白設定情報に基づいて
、前記境界に余白を設定しない画像同士、または前記境界に余白を設定する画像同士が当
該境界を共通にして隣接するように、前記画像の隣接方向の向きを決定する向き決定ステ
ップとからなる処理をコンピュータに実行させるためのプログラムを含み、
前記画像修正ステップは、前記境界に余白を設定せずに隣接する画像の境界部分を修正
することを特徴とする。
【００３７】
このような構成であれば、コンピュータによってプログラムが読み取られ、読み取られ
たプログラムに従ってコンピュータが処理を実行すると、形態７の連続印刷用画像処理シ
ステムと同等の作用および効果が得られる。
【００３８】
〔形態１６〕  さらに、形態１６の連続印刷用画像処理プログラムは、形態９ないし１
３のいずれか１の連続印刷用画像処理プログラムにおいて、
さらに、前記複数の画像の各境界ごとに当該境界と他の前記画像の各境界とをそれぞれ
対比してそれら境界に余白を設定するか否かを判定する余白判定ステップと、前記余白判
定ステップの判定結果に基づいて、前記境界に余白を設定しない画像同士、または前記境
界に余白を設定する画像同士が当該境界を共通にして隣接するように、前記画像の隣接方
向の向きを決定する向き決定ステップとからなる処理をコンピュータに実行させるための
プログラムを含み、
前記画像修正ステップは、前記境界に余白を設定せずに隣接する画像の境界部分を修正
することを特徴とする。
【００３９】
このような構成であれば、コンピュータによってプログラムが読み取られ、読み取られ
たプログラムに従ってコンピュータが処理を実行すると、形態８の連続印刷用画像処理シ
ステムと同等の作用および効果が得られる。
【００４０】
〔形態１７〕  一方、上記目的を達成するために、形態１７の連続印刷用画像処理方法
は、
複数の画像をそれら境界に余白を形成せずに印刷媒体に連続印刷し、前記各画像の境界
の位置で前記印刷媒体を切り取る印刷装置に適用する連続印刷用画像処理方法であって、
前記複数の画像について前記画像データを取得する画像データ取得ステップと、前記画
像データ取得ステップで取得した画像データに基づいて、隣接する画像の境界部分におい
て視覚的特徴に連続性が形成されるように、前記隣接する画像のうち少なくとも一方の画
像を修正する画像修正ステップとを含むことを特徴とする。
これにより、形態１の連続印刷用画像処理システムと同等の効果が得られる。
【００４１】
〔形態１８〕  さらに、形態１８の連続印刷用画像処理方法は、形態１７の連続印刷用
画像処理方法において、
前記画像修正ステップは、前記隣接する画像のうち一方の画像の境界部分および他方の
画像の境界部分が前記両方の境界部分の視覚的特徴を含むように前記両方の境界部分を修
正することを特徴とする。
これにより、形態２の連続印刷用画像処理システムと同等の効果が得られる。
【００４２】
〔形態１９〕  さらに、形態１９の連続印刷用画像処理方法は、形態１８の連続印刷用
画像処理方法において、
前記画像修正ステップは、前記両方の境界部分のうち前記隣接する画像の境界からそれ
ぞれ最も離れた最遠端の一方から他方に向けて前記一方の境界部分の基色が薄くなり、か
つ、前記最遠端の他方から一方に向けて前記他方の境界部分の基色が薄くなるように前記
両方の境界部分を修正することを特徴とする。
これにより、形態３の連続印刷用画像処理システムと同等の効果が得られる。
【００４３】
〔形態２０〕  さらに、形態２０の連続印刷用画像処理方法は、形態１８の連続印刷用
画像処理方法において、
前記画像修正ステップは、前記一方の境界部分および前記他方の境界部分を前記隣接す
る画像の境界に直交する方向にそれぞれ伸長させ、伸長させた前記一方の境界部分および
前記他方の境界部分を所定の透過率で合成することを特徴とする。
これにより、形態４の連続印刷用画像処理システムと同等の効果が得られる。
【００４４】
〔形態２１〕  さらに、形態２１の連続印刷用画像処理方法は、形態１７ないし２０の
いずれか１の連続印刷用画像処理方法において、
さらに、前記印刷装置の実際のカット位置が目標のカット位置からずれる度合いを示す
カット誤差情報を取得するカット誤差情報取得ステップを含み、
前記画像修正ステップは、前記カット誤差情報取得ステップで取得したカット誤差情報
に基づいて前記画像を修正することを特徴とする。
これにより、形態５の連続印刷用画像処理システムと同等の効果が得られる。
【００４５】
〔形態２２〕  さらに、形態２２の連続印刷用画像処理方法は、形態１７ないし２１の
いずれか１の連続印刷用画像処理方法において、
さらに、前記画像の隣接方向の向きを決定する向き決定ステップからなる処理をコンピ
ュータに実行させるためのプログラムを含むことを特徴とする。
これにより、形態６の連続印刷用画像処理システムと同等の効果が得られる。
【００４６】
〔形態２３〕  さらに、形態２３の連続印刷用画像処理方法は、形態１７ないし２１の
いずれか１の連続印刷用画像処理方法において、
さらに、前記隣接する画像の境界であって１つの前記画像の異なる境界に対してそれぞ
れ余白を設定するか否かを示す余白設定情報を前記複数の画像について取得する余白設定
情報取得ステップと、前記余白設定情報取得ステップで取得した余白設定情報に基づいて
、前記境界に余白を設定しない画像同士、または前記境界に余白を設定する画像同士が当
該境界を共通にして隣接するように、前記画像の隣接方向の向きを決定する向き決定ステ
ップとを含み、
前記画像修正ステップは、前記境界に余白を設定せずに隣接する画像の境界部分を修正
することを特徴とする。
これにより、形態７の連続印刷用画像処理システムと同等の効果が得られる。
【００４７】
〔形態２４〕  さらに、形態２４の連続印刷用画像処理方法は、形態１７ないし２１の
いずれか１の連続印刷用画像処理方法において、
さらに、前記複数の画像の各境界ごとに当該境界と他の前記画像の各境界とをそれぞれ
対比してそれら境界に余白を設定するか否かを判定する余白判定ステップと、前記余白判
定ステップの判定結果に基づいて、前記境界に余白を設定しない画像同士、または前記境
界に余白を設定する画像同士が当該境界を共通にして隣接するように、前記画像の隣接方
向の向きを決定する向き決定ステップとを含み、
前記画像修正ステップは、前記境界に余白を設定せずに隣接する画像の境界部分を修正
することを特徴とする。
これにより、形態８の連続印刷用画像処理システムと同等の効果が得られる。
【発明を実施するための最良の形態】
【００４８】
以下、本発明の第１の実施の形態を図面を参照しながら説明する。図１ないし図４は、
本発明に係る連続印刷用画像処理システムおよび連続印刷用画像処理プログラム、並びに
連続印刷用画像処理方法の第１の実施の形態を示す図である。
【００４９】
まず、本発明を適用するネットワークシステムの構成を説明する。
図１は、本発明を適用するネットワークシステムの構成を示すブロック図である。
ネットワーク１９９には、図１に示すように、ユーザの利用に供するホスト端末１００
と、ホスト端末１００からの印刷要求に応じて複数の画像をそれら境界に余白を形成せず
にロール紙に連続印刷する印刷装置２００とが接続されている。
【００５０】
ホスト端末１００は、連続印刷される複数の画像のそれぞれについてその画像データを
含む印刷ジョブを取得する印刷ジョブ取得部１０と、印刷装置２００の実際のカット位置
が目標のカット位置からずれる最大ずれ量を示すカット誤差情報を取得するカット誤差情
報取得部１１とを有して構成されている。
ホスト端末１００は、さらに、隣接する２つの画像（以下、隣接画像群という。）の境
界部分を修正する画像修正部１２と、画像修正部１２で修正した画像の画像データを含む
印刷ジョブを印刷装置２００に送信する印刷ジョブ送信部１３とを有して構成されている
。
【００５１】
画像修正部１２は、印刷ジョブ取得部１０で取得した複数の印刷ジョブおよびカット誤
差情報取得部１１で取得したカット誤差情報に基づいて、隣接画像群のそれぞれから最大
ずれ量に応じたサイズの境界部分を取得し、取得した境界部分を視覚的特徴に連続性が形
成されるように修正する。
【００５２】
印刷装置２００は、印刷ジョブを受信する印刷ジョブ受信部２０と、ロール紙への印刷
に必要な機構を備える印刷機構２１と、印刷ジョブ受信部２０で受信した印刷ジョブに基
づいて印刷機構２１を制御する印刷制御部２２と、ロール紙のカットに必要な機構を備え
るカット機構２３と、印刷ジョブ受信部２０で受信した印刷ジョブに基づいてカット機構
２３を制御するカット制御部２４とを有して構成されている。
【００５３】
印刷機構２１は、ロール紙に印刷を行う印刷ヘッドと、ロール紙を送出する用紙送出部
と、ロール紙の送出方向と直交する方向に設けられかつ印刷ヘッドを移動可能に支持する
ガイドレールと、印刷ヘッドをガイドレール上で移動させるヘッド駆動部とを有して構成
されている。
カット機構２３は、ロール紙を切り取るカッティングヘッドと、ロール紙の送出方向と
直交する方向に設けられかつカッティングヘッドを移動可能に支持するガイドレールと、
カッティングヘッドをガイドレール上で移動させるヘッド駆動部とを有して構成されてい
る。
【００５４】
次に、ホスト端末１００の構成を詳細に説明する。
図２は、ホスト端末１００のハードウェア構成を示す図である。
ホスト端末１００は、図２に示すように、制御プログラムに基づいて演算およびシステ
ム全体を制御するＣＰＵ５０と、所定領域にあらかじめＣＰＵ５０の制御プログラム等を
格納しているＲＯＭ５２と、ＲＯＭ５２等から読み出したデータやＣＰＵ５０の演算過程
で必要な演算結果を格納するためのＲＡＭ５４と、外部装置に対してデータの入出力を媒
介するＩ／Ｆ５８とで構成されており、これらは、データを転送するための信号線である
バス５９で相互にかつデータ授受可能に接続されている。
【００５５】
Ｉ／Ｆ５８には、外部装置として、ヒューマンインターフェースとしてデータの入力が
可能なキーボードやマウス等からなる入力装置６０と、データやテーブル等をファイルと
して格納する記憶装置６２と、画像信号に基づいて画面を表示する表示装置６４と、ネッ
トワーク１９９に接続するための信号線とが接続されている。
ＣＰＵ５０は、マイクロプロセッシングユニット等からなり、ＲＯＭ５２の所定領域に
格納されている所定のプログラムを起動させ、そのプログラムに従って、図３のフローチ
ャートに示す画像連続印刷処理を実行する。
【００５６】
図３は、画像連続印刷処理を示すフローチャートである。
画像連続印刷処理は、ＣＰＵ５０において実行されると、図３に示すように、まず、ス
テップＳ１００に移行する。
ステップＳ１００では、画像編集アプリケーション等から印刷要求を入力したか否かを
判定し、印刷要求を入力したと判定したとき(Yes)は、ステップＳ１０２に移行するが、
そうでないと判定したとき(No)は、印刷要求を入力するまでステップＳ１００で待機する
。
【００５７】
ステップＳ１０２では、画像編集アプリケーション等から印刷ジョブを取得し、ステッ
プＳ１０４に移行して、カット誤差情報を取得し、ステップＳ１０６に移行する。
ステップＳ１０６では、後続の印刷ジョブが存在するか否かを判定し、後続の印刷ジョ
ブが存在すると判定したとき(Yes)は、ステップＳ１０８に移行して、画像編集アプリケ
ーション等から後続の印刷ジョブを取得し、ステップＳ１１０に移行する。
【００５８】
図４は、隣接画像群の各境界部分に対してグラデーション処理を施す場合を示す図であ
る。
ステップＳ１１０では、取得した連続する２つの印刷ジョブおよび取得したカット誤差
情報に基づいて、図４に示すように、隣接画像群のそれぞれから最大ずれ量ｈに応じたサ
イズの境界部分３００、３０２を取得し、ステップＳ１１２に移行する。
【００５９】
ステップＳ１１２では、取得した境界部分３００、３０２に対してグラデーション処理
を施す。グラデーション処理では、境界部分３００、３０２のうち隣接画像群の境界３０
４からそれぞれ最も離れた最遠端の一方３０６（図面上側の最遠端）から他方３０８（図
面下側の最遠端）に向けて境界部分３００の基色が徐々に薄くなり、かつ、最遠端の他方
３０８から一方３０６に向けて境界部分３０２の基色が徐々に薄くなるように境界部分３
００、３０２を修正する。
【００６０】
次いで、ステップＳ１１４に移行して、隣接画像群のうち修正した前段の画像の画像デ
ータを含む印刷ジョブを印刷装置２００に送信し、ステップＳ１０６に移行する。
一方、ステップＳ１０６で、後続の印刷ジョブが存在しないと判定したとき(No)は、ス
テップＳ１１６に移行して、修正した末尾の画像の画像データを含む印刷ジョブを印刷装
置２００に送信し、一連の処理を終了して元の処理に復帰させる。
【００６１】
次に、本実施の形態の動作を説明する。
ホスト端末１００では、印刷要求が入力されると、ステップＳ１０２〜Ｓ１０８を経て
、連続印刷される複数の画像のうち先頭および２番目の画像についてその画像データを含
む２つの印刷ジョブが取得されるとともにカット誤差情報が取得される。次いで、ステッ
プＳ１１０、Ｓ１１２を経て、取得された２つの印刷ジョブおよびカット誤差情報に基づ
いて、先頭および２番目の画像のそれぞれから最大ずれ量に応じたサイズの境界部分が取
得され、取得された境界部分に対してグラデーション処理が施される。そして、ステップ
Ｓ１１４を経て、修正された先頭の画像の画像データを含む印刷ジョブが印刷装置２００
に送信される。
【００６２】
次いで、２番目および３番目の画像が処理対象となり、ステップＳ１０８〜Ｓ１１４の
処理が行われる。ステップＳ１０８〜Ｓ１１４の処理は、後続の印刷ジョブが存在しなく
なるまで行われる。そして、末尾の画像について修正が終了すると、ステップＳ１１６を
経て、修正された末尾の画像の画像データを含む印刷ジョブが印刷装置２００に送信され
る。
【００６３】
印刷装置２００では、印刷ジョブを受信すると、印刷制御部２２により、受信した印刷
ジョブに基づいて印刷機構２１が制御される。また、カット制御部２４により、受信した
印刷ジョブに基づいてカット機構２３が制御される。その結果、複数の画像が余白なしに
ロール紙に連続印刷され、各画像の境界の位置でロール紙がカットされる。
このようにして、本実施の形態では、複数の画像について印刷ジョブを取得し、取得し
た印刷ジョブに基づいて、隣接画像群の境界部分において視覚的特徴に連続性が形成され
るように境界部分を修正する。
【００６４】
これにより、境界部分において視覚的特徴に連続性が形成されるので、カット位置がず
れても、ずれの発生による視覚的な影響を低減することができる。
さらに、本実施の形態では、隣接画像群のそれぞれから境界部分を取得し、取得した境
界部分に対してグラデーション処理を施す。
これにより、境界部分が単一色である画像または境界部分の色の変化が単調な画像につ
いては、ずれの発生による視覚的な影響を効果的に低減することができる。
【００６５】
さらに、本実施の形態では、印刷装置２００の実際のカット位置が目標のカット位置か
らずれる最大ずれ量を示すカット誤差情報を取得し、隣接画像群のそれぞれから最大ずれ
量に応じたサイズの境界部分を取得し、取得した境界部分を修正する。
これにより、カット位置の最大ずれ量に応じて画像を修正することができる。
【００６６】
上記第１の実施の形態において、印刷ジョブ取得部１０およびステップＳ１０２、Ｓ１
０８は、形態１の画像データ取得手段に対応し、ステップＳ１０２、Ｓ１０８は、形態９
または１７の画像データ取得ステップに対応し、カット誤差情報取得部１１およびステッ
プＳ１０４は、形態５のカット誤差情報取得手段に対応している。また、ステップＳ１０
４は、形態１３または２１のカット誤差情報取得ステップに対応し、画像修正部１２およ
びステップＳ１１０、Ｓ１１２は、形態１ないし３または５の画像修正手段に対応し、ス
テップＳ１１０、Ｓ１１２は、形態９ないし１１、１３、１７ないし１９または２１の画
像修正ステップに対応している。
また、上記第１の実施の形態において、ロール紙は、形態１、９または１７の印刷媒体
に対応している。
【００６７】
次に、本発明の第２の実施の形態を図面を参照しながら説明する。図５および図６は、
本発明に係る連続印刷用画像処理システムおよび連続印刷用画像処理プログラム、並びに
連続印刷用画像処理方法の第１の実施の形態を示す図である。
本実施の形態は、上記第１の実施の形態に対して、隣接画像群の各境界部分を拡大して
合成する点が異なる。なお、以下、上記第１の実施の形態と異なる部分についてのみ説明
し、上記第１の実施の形態と重複する部分については同一の符号を付して説明を省略する
。
【００６８】
まず、ホスト端末１００で実行する処理を説明する。
ＣＰＵ５０は、図３の画像連続印刷処理に代えて、図５のフローチャートに示す画像連
続印刷処理を実行する。
図５は、画像連続印刷処理を示すフローチャートである。
画像連続印刷処理は、ＣＰＵ５０において実行されると、図５に示すように、まず、ス
テップＳ２００に移行する。
ステップＳ２００では、画像編集アプリケーション等から印刷要求を入力したか否かを
判定し、印刷要求を入力したと判定したとき(Yes)は、ステップＳ２０２に移行するが、
そうでないと判定したとき(No)は、印刷要求を入力するまでステップＳ２００で待機する
。
【００６９】
ステップＳ２０２では、画像編集アプリケーション等から印刷ジョブを取得し、ステッ
プＳ２０４に移行して、カット誤差情報を取得し、ステップＳ２０６に移行する。
ステップＳ２０６では、後続の印刷ジョブが存在するか否かを判定し、後続の印刷ジョ
ブが存在すると判定したとき(Yes)は、ステップＳ２０８に移行して、画像編集アプリケ
ーション等から後続の印刷ジョブを取得し、ステップＳ２１０に移行する。
【００７０】
図６は、隣接画像群の各境界部分に対して画像合成処理を施す場合を示す図である。
ステップＳ２１０では、取得した連続する２つの印刷ジョブおよび取得したカット誤差
情報に基づいて、図６に示すように、隣接画像群のそれぞれから最大ずれ量ｈに応じたサ
イズの境界部分３００、３０２を取得し、ステップＳ２１２に移行する。
【００７１】
ステップＳ２１２では、取得した境界部分３００、３０２を隣接画像群の境界３０４に
直交する方向にそれぞれ２倍に拡大し、ステップＳ２１４に移行して、拡大した境界部分
３００、３０２を半透明化する半透明化処理を施す。半透明化処理では、境界部分３００
については、隣接画像群の境界３０４と平行な２つの辺の一方３１０（図面上側の辺）か
ら他方３１２（図面下側の辺）に向けて透過率が徐々に高くなるように半透明化する。ま
た、境界部分３０２については、隣接画像群の境界３０４と平行な２つの辺の他方３１２
から一方３１０に向けて透過率が徐々に高くなるように半透明化する。
【００７２】
次いで、ステップＳ２１６に移行して、半透明化した境界部分３００、３０２を合成す
る画像合成処理を施し、ステップＳ２１８に移行して、隣接画像群のうち修正した前段の
画像の画像データを含む印刷ジョブを印刷装置２００に送信し、ステップＳ２０６に移行
する。
一方、ステップＳ２０６で、後続の印刷ジョブが存在しないと判定したとき(No)は、ス
テップＳ２２０に移行して、修正した末尾の画像の画像データを含む印刷ジョブを印刷装
置２００に送信し、一連の処理を終了して元の処理に復帰させる。
【００７３】
次に、本実施の形態の動作を説明する。
ホスト端末１００では、印刷要求が入力されると、ステップＳ２０２〜Ｓ２０８を経て
、連続印刷される複数の画像のうち先頭および２番目の画像についてその画像データを含
む２つの印刷ジョブが取得されるとともにカット誤差情報が取得される。次いで、ステッ
プＳ２１０〜Ｓ２１６を経て、取得された２つの印刷ジョブおよびカット誤差情報に基づ
いて、先頭および２番目の画像のそれぞれから最大ずれ量に応じたサイズの境界部分が取
得され、取得された境界部分がそれぞれ２倍に拡大され、拡大された境界部分が所定の透
過率で合成される。そして、ステップＳ２１８を経て、修正された先頭の画像の画像デー
タを含む印刷ジョブが印刷装置２００に送信される。
【００７４】
次いで、２番目および３番目の画像が処理対象となり、ステップＳ２０８〜Ｓ２１８の
処理が行われる。ステップＳ２０８〜Ｓ２１８の処理は、後続の印刷ジョブが存在しなく
なるまで行われる。そして、末尾の画像について修正が終了すると、ステップＳ２２０を
経て、修正された末尾の画像の画像データを含む印刷ジョブが印刷装置２００に送信され
る。
【００７５】
このようにして、本実施の形態では、隣接画像群のそれぞれから境界部分を取得し、取
得した境界部分を隣接画像群の境界に直交する方向にそれぞれ２倍に拡大し、拡大した境
界部分を所定の透過率で合成する。
これにより、画像のサイズを変更せずに、ずれの発生による視覚的な影響を低減するこ
とができる。
【００７６】
上記第２の実施の形態において、画像修正部１２およびステップＳ２１０〜Ｓ２１６は
、形態４の画像修正手段に対応し、ステップＳ２１０〜Ｓ２１６は、形態１２または２０
の画像修正ステップに対応している。
次に、本発明の第３の実施の形態を図面を参照しながら説明する。図７ないし図１２は
、本発明に係る連続印刷用画像処理システムおよび連続印刷用画像処理プログラム、並び
に連続印刷用画像処理方法の第１の実施の形態を示す図である。
【００７７】
本実施の形態は、上記第１および第２の実施の形態に対して、境界に設定する余白の有
無に応じて画像の向きを変更する点が異なる。なお、以下、上記第１および第２の実施の
形態と異なる部分についてのみ説明し、上記第１および第２の実施の形態と重複する部分
については同一の符号を付して説明を省略する。
まず、本発明を適用するネットワークシステムの構成を説明する。
【００７８】
図７は、本発明を適用するネットワークシステムの構成を示すブロック図である。
ホスト端末１００は、図７に示すように、印刷ジョブを記憶する印刷ジョブキュー３０
と、印刷ジョブを取得する印刷ジョブ取得部３１と、印刷ジョブ取得部３１で取得した印
刷ジョブを印刷ジョブキュー３０に登録する印刷ジョブ登録部３２とを有して構成されて
いる。
【００７９】
印刷ジョブは、画像を構成する画像データおよび隣接する画像との２つの境界に対して
それぞれ余白を設定するか否かを示す余白設定情報を含んで構成されている。余白設定情
報には、隣接画像との境界に余白を設定する２カット方式、または隣接画像との境界に余
白を設定しない１カット方式のいずれかが設定されている。２カット方式とは、境界に余
白を設定するため、１つの境界に着目すると、隣接画像の境界と、自己の境界の２カ所を
カットする方式をいう。これに対し、１カット方式とは、境界に余白を設定しないため、
１つの境界に着目すると、隣接画像および自己の連続する境界をカットする方式をいう。
１カット方式にするか２カット方式にするかは、例えば、特開2003-233480号公報の技術
により決定することができる。また、ユーザが決定するという処理も採用できる。
【００８０】
ホスト端末１００は、さらに、複数の画像の各境界ごとにその境界と他の画像の各境界
とをそれぞれ対比してそれら境界に余白を設定するか否かを判定する余白判定部３３と、
余白判定部３３の判定結果に基づいて、境界に余白を設定しない画像同士がその境界を共
通にして隣接するように、印刷ジョブキュー３０での印刷ジョブの登録順序および画像の
隣接方向の向き（以下、単に向きという。）を変更する向き決定部３４とを有して構成さ
れている。
【００８１】
向き決定部３４は、印刷ジョブの登録順序と各画像の向きとの組み合わせのなかから、
境界に余白を設定しない画像同士がその境界を共通にして隣接する個数が最も多い組み合
わせを決定し、決定した順序および向きに基づいて、印刷ジョブキュー３０の印刷ジョブ
のうち、直前に印刷した画像の次に印刷すべき画像の印刷ジョブを印刷ジョブキュー３０
の先頭に移動するとともに、次に印刷すべき画像の向きを反転する。
【００８２】
ホスト端末１００は、さらに、印刷ジョブ取得部１０、カット誤差情報取得部１１、画
像修正部１２および印刷ジョブ送信部１３を有して構成されている。
印刷ジョブ取得部１０は、印刷ジョブキュー３０の先頭から印刷ジョブを取得する。
次に、ホスト端末１００で実行する処理を説明する。
ＣＰＵ５０は、ＲＯＭ５２の所定領域に格納されている所定のプログラムを起動させ、
そのプログラムに従って、図８および図１２のフローチャートに示す印刷ジョブ取得処理
および印刷ジョブスケジューリング処理をそれぞれ時分割で実行する。
【００８３】
初めに、印刷ジョブ取得処理を説明する。
図８は、印刷ジョブ取得処理を示すフローチャートである。
印刷ジョブ取得処理は、ＣＰＵ５０において実行されると、図８に示すように、まず、
ステップＳ３００に移行する。
ステップＳ３００では、画像編集アプリケーション等から印刷要求を入力したか否かを
判定し、印刷要求を入力したと判定したとき(Yes)は、ステップＳ３０２に移行するが、
そうでないと判定したとき(No)は、印刷要求を入力するまでステップＳ３００で待機する
。
【００８４】
ステップＳ３０２では、画像編集アプリケーション等から印刷ジョブを取得し、ステッ
プＳ３０４に移行して、取得した印刷ジョブを印刷ジョブキュー３０の末尾に登録し、ス
テップＳ３０６に移行する。
ステップＳ３０６では、複数の画像の各境界ごとにその境界と他の画像の各境界とをそ
れぞれ対比してそれら境界に余白を設定するか否かを判定し、各境界ごとに余白の有無を
登録した境界余白対応テーブルを生成する。画像の境界に余白を設定するか否か（すなわ
ち、１カット方式にするか２カット方式にするか）の判定では、境界を挟んで隣接する画
像の余白設定情報について余白が設定されていないならば余白を設定しないと判定する。
また、隣接画像の少なくとも一方の画像の余白設定情報について余白が設定されているな
らば余白を設定すると判定する。
【００８５】
図９は、要求された印刷ジョブの状態を示す図である。
図９に示すように、前の印刷ジョブに基づいて印刷が行われた後、印刷ジョブＪ１、Ｊ
２、Ｊ３がその順序で要求されたとする。印刷ジョブの画像は、向きを設定することがで
きる。画像の向きには、画像の隣接方向が図９に示すように図面上下方向である場合、画
像の所定辺６００を上向きにする向き（以下、順方向という。）と、同所定辺６００を下
向きにする向き（以下、逆方向という。）がある。図９の例では、印刷ジョブＪ１〜Ｊ３
の画像はいずれも順方向となっている。
【００８６】
図１０は、境界余白対応テーブル４００のデータ構造を示す図である。
境界余白対応テーブル４００には、図１０に示すように、直前に印刷が完了の印刷ジョ
ブ（以下、直前の印刷ジョブと略記する。）および印刷ジョブＪ１〜Ｊ３の画像の印刷順
序および向きのすべての組み合わせについて余白の有無が登録されている。図１０の第１
行目を説明すると、第１列目は、直前の印刷ジョブの画像に印刷ジョブＪ１の画像を順方
向で隣接させた場合はそれら境界に余白を設定し、第２列目は、直前の印刷ジョブの画像
に印刷ジョブＪ１の画像を逆方向で隣接させた場合はそれら境界に余白を設定しないこと
を登録している。余白を設定する場合は「×」で、余白を設定しない場合は「○」で表記
している。同様に、第３列目は、直前の印刷ジョブの画像に印刷ジョブＪ２の画像を順方
向で、第４列目は、直前の印刷ジョブの画像に印刷ジョブＪ２の画像を逆方向で、第５列
目は、直前の印刷ジョブの画像に印刷ジョブＪ３の画像を順方向で、第６列目は、直前の
印刷ジョブの画像に印刷ジョブＪ３の画像を逆方向で隣接させた場合の余白の有無をそれ
ぞれ登録している。第２行目以降は、前段の画像が、印刷ジョブＪ１の順方向の画像、印
刷ジョブＪ１の逆方向の画像、印刷ジョブＪ２の順方向の画像、印刷ジョブＪ２の逆方向
の画像、印刷ジョブＪ３の順方向の画像および印刷ジョブＪ３の逆方向の画像の場合であ
る。
【００８７】
次いで、ステップＳ３０８に移行して、境界余白対応テーブル４００に基づいて画像の
印刷順序および向きを示すジョブスケジュールツリーを生成する。
図１１は、ジョブスケジュールツリー４２０の論理構造を示す図である。
ジョブスケジュールツリー４２０は、図１１に示すように、画像の印刷順序および向き
をツリー状に形成して構成されている。図１０の境界余白対応テーブル４００を参照する
と、例えば、直前の印刷ジョブの画像、印刷ジョブＪ１の逆方向の画像、印刷ジョブＪ３
の順方向の画像および印刷ジョブＪ２の逆方向の画像をその順で隣接した場合は、各境界
に余白が発生しないことが分かる。ジョブスケジュールツリー４２０の最上段のパスは、
そのように各画像が１カットで連続印刷可能な印刷順序および向きを示している。同様に
、１カットで連続印刷可能な画像の印刷順序および向きとして他に４つのパターンが存在
するので、ジョブスケジュールツリー４２０には、それらに対応するパスが形成されてい
る。
【００８８】
次いで、ステップＳ３１０に移行して、任意または他の条件によって、生成したジョブ
スケジュールツリー４２０において各画像が１カットで連続印刷可能な画像の印刷順序お
よび向きを決定し、一連の処理を終了して元の処理に復帰させる。
次に、印刷ジョブスケジューリング処理を説明する。
図１２は、印刷ジョブスケジューリング処理を示すフローチャートである。
【００８９】
印刷ジョブスケジューリング処理は、ＣＰＵ５０において実行されると、図１２に示す
ように、まず、ステップＳ４００に移行する。
ステップＳ４００では、印刷ジョブキュー３０に印刷ジョブが存在するか否かを判定し
、印刷ジョブが存在すると判定したとき(Yes)は、ステップＳ４０２に移行して、ステッ
プＳ３１０で決定された順序に基づいて、直前に印刷した画像の次に印刷すべき画像の印
刷ジョブを印刷ジョブキュー３０の先頭に移動し、ステップＳ４０４に移行する。
【００９０】
ステップＳ４０４では、ステップＳ３１０で決定された向きに基づいて、次に印刷すべ
き画像の向きを反転するか否かを判定し、向きを反転すると判定したとき(Yes)は、ステ
ップＳ４０６に移行して、次に印刷すべき画像の向きを反転し、ステップＳ４０８に移行
し、印刷ジョブキュー３０の先頭から印刷ジョブを取得し、ステップＳ４１０に移行する
。
【００９１】
ステップＳ４１０では、ステップＳ１０４〜Ｓ１１２の処理またはステップＳ２０４〜
Ｓ２１６の処理からなる画像修正処理を実行し、ステップＳ４１２に移行して、隣接画像
群のうち修正した前段の画像の画像データを含む印刷ジョブを印刷装置２００に送信し、
ステップＳ４１４に移行する。
ステップＳ４１４では、印刷装置２００との通信により１枚の画像の印刷が完了したか
否かを判定し、１枚の画像の印刷が完了したと判定したとき(Yes)は、ステップＳ４００
に移行するが、そうでないと判定したとき(No)は、１枚の画像の印刷が完了するまでステ
ップＳ４１４で待機する。
【００９２】
一方、ステップＳ４０４で、次に印刷すべき画像の向きを反転しないと判定したとき(N
o)は、ステップＳ４０８に移行する。
一方、ステップＳ４００で、印刷ジョブキュー３０に印刷ジョブが存在しないと判定し
たとき(No)は、一連の処理を終了して元の処理に復帰させる。
次に、本実施の形態の動作を説明する。
【００９３】
ホスト端末１００では、印刷要求が入力されると、ステップＳ３０２、Ｓ３０４を経て
、印刷ジョブが取得され、取得された印刷ジョブが印刷ジョブキュー３０の末尾に登録さ
れる。また、ステップＳ３０６、Ｓ３０８を経て、各境界ごとに余白の有無を登録した境
界余白対応テーブル４００が生成され、境界余白対応テーブル４００に基づいて、画像の
印刷順序および向きを示すジョブスケジュールツリー４２０が生成される。そして、ステ
ップＳ３１０を経て、ジョブスケジュールツリー４２０において各画像が１カットで連続
印刷可能な画像の印刷順序および向きが決定される。
【００９４】
ホスト端末１００では、印刷ジョブが登録されると、ステップＳ４０２〜Ｓ４０６を経
て、決定された順序および向きに基づいて、直前に印刷した画像の次に印刷すべき画像の
印刷ジョブが印刷ジョブキュー３０の先頭に移動するとともに、その印刷ジョブの画像の
向きが反転する。例えば、図１１のジョブスケジュールツリー４２０において画像の印刷
順序および向きとして最上段のパスが決定された場合は、印刷ジョブＪ１が印刷ジョブキ
ュー３０の先頭に移動するとともに印刷ジョブＪ１の画像の向きが反転する。そして、ス
テップＳ４０８〜Ｓ４１２を経て、印刷ジョブキュー３０の先頭から２つの印刷ジョブが
取得され、取得された２つの印刷ジョブに基づいて隣接画像群の各境界部分が修正され、
修正された画像の画像データを含む印刷ジョブがそれぞれ印刷装置２００に送信される。
【００９５】
このようにして、本実施の形態では、画像を構成する画像データおよび隣接する画像と
の２つの境界に対してそれぞれ余白を設定するか否かを示す余白設定情報を含む印刷ジョ
ブを取得し、取得した印刷ジョブを印刷ジョブキュー３０の末尾に登録し、取得した印刷
ジョブに含まれる余白設定情報に基づいて、境界に余白を設定しない画像同士がその境界
を共通にして隣接するように印刷ジョブキュー３０での印刷ジョブの登録順序および画像
の向きをを決定し、印刷ジョブキュー３０の先頭から印刷ジョブを取得し、取得した印刷
ジョブに基づいて、境界に余白を設定しない隣接画像群の境界部分を視覚的特徴に連続性
が形成されるように修正し、修正した画像の画像データを含む印刷ジョブを印刷装置２０
０に送信する。
【００９６】
これにより、余白なしの画像と余白ありの画像を混在させて連続印刷する場合に、それ
らが隣接する機会が低減するので、余白なしの画像の境界に余白が発生せず、無駄紙を低
減することができる。また、余白なしの画像を隣接させても、その境界部分において視覚
的特徴に連続性が形成されるので、ずれの発生による視覚的な影響を低減することができ
る。
【００９７】
さらに、本実施の形態では、複数の画像を印刷する順序と各画像の向きとの組み合わせ
のなかから、各画像が１カットで連続印刷可能な画像の印刷順序および向きを決定し、決
定した順序および向きに基づいて、印刷ジョブキュー３０の印刷ジョブのうち、直前に印
刷した画像の次に印刷すべき画像の印刷ジョブを印刷ジョブキュー３０の先頭に移動する
とともに、次に印刷すべき画像の向きを反転する。
これにより、余白なしの画像と余白ありの画像が隣接する機会がより確実に低減するの
で、無駄紙をさらに低減することができる。
【００９８】
上記第３の実施の形態において、印刷ジョブ取得部３１およびステップＳ３０２は、形
態７の余白設定情報取得手段に対応し、ステップＳ３０２は、形態１５または２３の余白
設定情報取得ステップに対応し、向き決定部３４およびステップＳ３０８、Ｓ３１０、Ｓ
４０２〜Ｓ４０６は、形態７の向き決定手段に対応している。また、ステップＳ３０８、
Ｓ３１０、Ｓ４０２〜Ｓ４０６は、形態１５または２３の向き決定ステップに対応し、画
像修正部１２およびステップＳ４１０は、形態７の画像修正手段に対応し、ステップＳ４
１０は、形態１５または２３の画像修正ステップに対応している。
【００９９】
なお、上記第３の実施の形態において、印刷ジョブに余白設定情報が含まれている場合
を説明したが、これに限らず、印刷ジョブに余白設定情報が含まれない場合についても適
用することができる。この場合、隣接画像の画像データに基づいて余白を設定するか否か
を判定することができる。以下、画像データに基づいて余白を設定するか否かの判定処理
の一例を説明する。この余白判定処理は、ステップＳ３０６において実行する。
【０１００】
図１３は、隣接する２つの画像のドットデータを模式的に示したものである。
図１３中の桝目がドットを示し、行・列は、ドットの並びを示す。ここで、各々のドッ
トの位置を、（行，列）で表わす。例えば、行ｅ、列０に位置するドットを（ｅ，０）と
する。図１３中の矢印方向が紙送り方向であり、印字ヘッドは、例えば、１行ずつ印刷す
る印字ヘッドならば、行ｅ−２、行ｅ−１、行ｅ、行ｓ、行ｓ＋１、行ｓ＋２といった順
に印刷する。また、各々のドットの色をｃ（行，列）と表記する。
【０１０１】
図１３の例では、行ｅと行ｓの間がカット位置で、カット制御部２４は、紙送りによっ
てカット位置とカット機構２３の位置が一致した時点でカット機構２３が動作して用紙を
カットすべく制御するが、その際に機械的な原因等によってカット位置に誤差が生じる恐
れがある範囲をｌとする。誤差範囲ｌは、機構の設計公差や事前の試験によってあらかじ
め定められているものとする。ここでは、ｌの単位は、ドット（紙送り方向のドット数）
とする。また、ｌは前方向（すなわち、画像１の後端方向）にずれる場合と、後方向（す
なわち、画像２の先端方向）にずれる場合とについて、別々に定めることもできる。例え
ば、前方向の誤差範囲をｌ１、後方向の誤差範囲をｌ２とする。さらに、カット位置がず
れた場合に、画像端部のドットの色と、入り込んだ異なる画像のドットの色の差の許容値
（色差）をｔｈｃとする。すなわち、正確に同一の色でなくとも、画像の入り込みが起こ
った場合にも違和感を感じない程度の色の違いであれば入り込みを許容するものとし、そ
の許容誤差はあらかじめ定められているものとする。
【０１０２】
このように、カット位置誤差が起こる可能性がある紙送り方向のみについて、また、画
像端部のドットと入り込みの可能性がある対向画像のドットの色を比較し、色の差が許容
値を超える場合には２カット方式を選択する。
入り込みの可能性のあるドットの色の差が１ヶ所でも許容値を超える場合には２カット
方式を選択する方法のほか、次のようなバリエーションが考えられる。
【０１０３】
（１）色の差が許容値を超えるドットの数を計数し、ドット数が一定の値を超えたら２カ
ット方式を選択する。
（２）色の差が許容値を超えるドットが、所定の密度以上で存在する場合に２カット方式
を選択する。（１ドットの異常色は視覚的に目立たないが、異常色がまとまっていると目
立つ）
（３）色の差の計算に、カット位置誤差が起こる可能性の大きさを乗じる。すなわち、理
想的なカット位置から離れるほど、入り込みが起こる恐れは少ないので、カット位置から
の距離によって確率値を定め、色の差の計算に重み付けをする。
【０１０４】
このように、異常色が入り込む場合のドット数や密度、確率によって許容範囲を設ける
ことによって、目立たない入り込みは無視することができ、１カット方式を実施する、す
なわち用紙の無駄を出さない処理をより多く実施することができる。
色の差の計算については、ドットデータがR,G,BやC,M,Y,Kの場合には、比較するドット
データの対応する値の差の合計を求めることによっても得られる。より正確には、ドット
データのR,G,BやC,M,Y,Kをもとに、CIE Lab表色系のような絶対色空間における色値を算
出し、ΔE値のような、視覚的な差異に対応する値に変換して差異を求めることもできる
。
【０１０５】
このような構成であっても、上記第３の実施の形態と同等の効果が得られる。
この場合において、余白判定部３３およびステップＳ３０６は、形態８の余白判定手段
に対応し、ステップＳ３０６は、形態１６または２４の余白判定ステップに対応し、向き
決定部３４およびステップＳ３０８、Ｓ３１０、Ｓ４０２〜Ｓ４０６は、形態８の向き決
定手段に対応している。また、ステップＳ３０８、Ｓ３１０、Ｓ４０２〜Ｓ４０６は、形
態１６または２４の向き決定ステップに対応し、画像修正部１２およびステップＳ４１０
は、形態８の画像修正手段に対応し、ステップＳ４１０は、形態１６または２４の画像修
正ステップに対応している。
【０１０６】
また、上記第３の実施の形態において、余白設定情報に基づいて画像の向きを決定する
ように構成したが、これに限らず、余白にかかわらず画像の向きを決定するように構成す
ることもできる。例えば、隣接画像群の境界部分の色差が少なくなるように画像の向きを
決定する。具体的には、カット位置誤差が起こる可能性がある紙送り方向のみについて、
また、画像端部のドットと入り込みの可能性がある対向画像のドットの色を比較し、色の
差が許容値を超える場合には画像を反転する。
【０１０７】
また、上記第２の実施の形態においては、隣接画像群のそれぞれから境界部分を取得し
、取得した境界部分を隣接画像群の境界に直交する方向にそれぞれ２倍に拡大するように
構成したが、これに限らず、他の伸長方法により境界部分を２倍のサイズに伸長するよう
に構成することもできる。伸長方法としては、例えば、境界部分をコピーしてなるコピー
画像と原境界部分を結合する方法、境界部分をある軸周りに回転させて（折り返して）な
る回転画像と原境界部分を結合する方法、または境界部分にモザイクをかけてなるモザイ
ク画像と原境界部分を結合する方法を採用することができる。
【０１０８】
また、上記第１および第２の実施の形態においては、隣接画像群の境界部分の両方に対
してグラデーション処理、半透明化処理および画像合成処理を施すように構成したが、こ
れに限らず、隣接画像群の境界部分の一方に対してグラデーション処理、半透明化処理お
よび画像合成処理を施すように構成することもできる。
また、上記第１ないし第３の実施の形態においては、図３、図５、図８および図１２の
フローチャートに示す処理をホスト端末１００において実行するように構成したが、これ
に限らず、これらの処理を印刷装置２００で実行するように構成することもできる。
【０１０９】
図１４は、印刷装置２００で実行する印刷制御処理を示すフローチャートである。
印刷制御処理は、印刷装置２００において実行されると、図１４に示すように、まず、
ステップＳ５００に移行する。
ステップＳ５００では、印刷要求を受信したか否かを判定し、印刷要求を受信したと判
定したとき(Yes)は、ステップＳ５０２に移行するが、そうでないと判定したとき(No)は
、印刷要求を受信するまでステップＳ５００で待機する。
【０１１０】
ステップＳ５０２では、印刷ジョブを受信し、ステップＳ５０４に移行して、ステップ
Ｓ１０４〜Ｓ１１２の処理またはステップＳ２０４〜Ｓ２１６の処理からなる画像修正処
理を実行し、ステップＳ５０６に移行する。
ステップＳ５０６では、隣接画像群のうち修正した前段の画像の画像データを含む印刷
ジョブに基づいて１走査分印刷を行い、ステップＳ５０８に移行して、カット位置である
か否かを判定し、カット位置であると判定したとき(Yes)は、ステップＳ５１０に移行し
て、ロール紙をカットし、ステップＳ５１２に移行する。
【０１１１】
ステップＳ５１２では、１枚の画像の印刷が終了したか否かを判定し、１枚の画像につ
いて印刷が終了したと判定したとき(Yes)は、ステップＳ５１４に移行して、すべての印
刷ジョブについて印刷が終了したか否かを判定し、すべての印刷ジョブについて印刷が終
了したと判定したとき(Yes)は、ステップＳ５１６に移行する。
ステップＳ５１６では、カット位置までロール紙を送出し、ステップＳ５１８に移行し
て、ロール紙をカットし、一連の処理を終了して元の処理に復帰させる。
【０１１２】
一方、ステップＳ５１４で、すべての印刷ジョブについて印刷が終了していないと判定
したとき(No)は、ステップＳ５０２に移行する。
一方、ステップＳ５１２で、１枚の画像の印刷が終了していないと判定したとき(No)は
、ステップＳ５０６に移行する。
このような構成であれば、印刷ジョブが取得され、印刷ジョブの画像が修正された後、
印刷が行われる。１枚目の画像については、切断箇所はないため、通常と同じように印刷
される。２枚目の画像については、同様に、印刷ジョブの画像が修正された後、印刷が行
われる。このとき、１枚目と２枚目の切断箇所が目標のカット位置と一致した場合に、切
断が行われる。その後、２枚目の残りの印刷ジョブの画像を印刷する。以後、同様に印刷
を繰り返し、後続の印刷ジョブが存在しない場合は、用紙送りをして切断箇所にて切断す
る。
【０１１３】
また、上記第１ないし第３の実施の形態において、印刷ジョブは、画像データを含むデ
ータとして説明したが、より具体的には、例えば、ＰＤＦ（Portable Document Format）
その他の文書作成アプリケーションが取扱可能な文書データとして構成することもできる
し、ＰＳ（PostScript）その他のＰＤＬ（Page Description Language）で記述されたデ
ータとして構成することもできる。
【０１１４】
また、上記第１ないし第３の実施の形態において、カット誤差情報の取得方法について
説明しなかったが、例えば、あらかじめ設定したカット誤差情報を取得してもよいし、プ
リンタドライバによる位置調整に合わせて設定された値をカット誤差情報として取得して
もよい。さらに、ずれ量をユーザが直接入力できるように入力用のインターフェースを設
け、入力用のインターフェースを介して入力された値をカット誤差情報として取得しても
よい。
【０１１５】
また、上記第１ないし第３の実施の形態においては、カット誤差情報に基づいて、隣接
画像群のそれぞれから最大ずれ量に応じたサイズの境界部分を取得するように構成したが
、これに限らず、カット誤差情報を用いず、隣接画像群のそれぞれから所定サイズの境界
部分を取得するように構成することもできる。
また、上記第３の実施の形態においては、ジョブスケジュールツリー４２０において各
画像が１カットで連続印刷可能な画像の印刷順序および向きを決定するように構成したが
、図１１に示すように、１カットで連続印刷可能な画像の印刷順序および向きの候補が複
数存在する場合は、次の方法で決定することができる。
【０１１６】
（１）１カットで連続印刷可能な画像の印刷順序および向きの候補のなかから、逆方向の
画像の個数が最も少ないものを決定する。
画像の印刷順序または向きが変更されると、ユーザに混乱が生じたり、印刷後に入れ替
え作業が発生したりする。これにより、逆方向の画像の個数が最も少ない順序および向き
で印刷が行われるので、ユーザに対する混乱および印刷後に発生する入れ替え作業を低減
することができる。
【０１１７】
（２）１カットで連続印刷可能な画像の印刷順序および向きの候補のなかから、逆方向の
画像の個数および順方向の画像の個数のうち少ない方の個数が最も少ないものを決定する
。
逆方向の画像の個数が多い場合は、逆に、順方向の画像を入れ替える作業を行えばよい
。したがって、順方向の画像の個数が最も少ない順序および向きで印刷することと、逆方
向の画像の個数が最も少ない順序および向きで印刷することは、作業を低減する観点から
等価である。（１）の方法との比較では、例えば、逆方向の画像の個数が最も少ない候補
においてその個数が３個であり、順方向の画像の個数が最も少ない候補においてその個数
が２個である場合、（１）の方法は、３個の候補を決定するのに対して、（２）の方法は
、２個の候補を決定する。入れ替えの作業としては後者の方が少ないので、（２）の方法
の方がより効果的である。
【０１１８】
なお、（１）、（２）の方法では、１カットで連続印刷可能な画像の印刷順序および向
きの候補のなかから決定するが、これに限らず、画像の印刷順序および向きのすべての候
補のなかから決定してもよい。
さらに、次の方法で決定することもできる。
【０１１９】
（３）画像の印刷順序が重視される場合には、できるだけ印刷順序を変えないほうが望ま
しい。この課題に対しては、例えば、印刷順序の変更を評価し、印刷順序を決定する方法
が考えられる。印刷順序の変更を評価する方法の一例としては、印刷順序の変化を数値化
する方法が考えられる。例えば、当初は、印刷ジョブＪ１、Ｊ２、Ｊ３の画像の印刷順序
を、印刷ジョブＪ３、Ｊ１、Ｊ２の順に変更する場合、印刷ジョブＪ１の印刷順位は、１
番から２番になるので変化は「１」、印刷ジョブＪ２の印刷順位は、２番から３番になる
ので変化は「１」、印刷ジョブＪ３の印刷順位は、３番から１番になるので変化は「２」
で、この３つの印刷ジョブの変化量を合計すると「４」となり、これを印刷順序の変化量
とする。他の印刷順序の候補についても同様に印刷順序の変化量を算出し、変化量が少な
い印刷順序を決定する。
【０１２０】
（４）複数のユーザが使用する印刷装置２００においては、複数のユーザ間で印刷ジョブ
の印刷順序が変わると、出力された印刷物をユーザごとに分類する手間が生じる可能性が
ある。この課題に対しては、印刷順序の変更は、同一のユーザが指示した連続する印刷ジ
ョブについてのみ行う（すなわち、同一のユーザの連続する印刷ジョブのみに制限する）
といった対応が可能である。
（５）印刷装置２００または印刷ジョブの設定項目または属性値として、（例えば、上記
のような項目については）「用紙の節約」、「画像反転の可・不可」、「印刷順序の変更
の許容度」、「複数のユーザ間で印刷順序の変更の可・不可」といった設定を可能にし、
その設定に従って画像の印刷順序および向きを決定する。
【０１２１】
また、上記第３の実施の形態においては、ジョブスケジュールツリー４２０において各
画像が１カットで連続印刷可能な画像の印刷順序および向きを決定するように構成したが
、これに限らず、境界に余白を設定しない画像同士がその境界を共通にして隣接する個数
が最も多い（すなわち、カット数が最も少ない）画像の印刷順序および向きを決定するよ
うに構成することもできる。
【０１２２】
また、上記第３の実施の形態においては、印刷機構２１およびカット機構２３を備えた
印刷装置２００を利用したが、これに限らず、印刷機構２１のみを備えた印刷装置２１０
と、カット機構２３のみを備えた印刷装置２２０を利用することもできる。
図１５は、本発明を適用するネットワークシステムの構成を示すブロック図である。
ネットワーク１９９には、図１５に示すように、ホスト端末１００と、印刷装置２１０
、２２０とが接続されている。
【０１２３】
ホスト端末１００は、印刷ジョブキュー３０、印刷ジョブ取得部３１、印刷ジョブ登録
部３２、余白判定部３３、向き決定部３４、印刷ジョブ取得部１０、カット誤差情報取得
部１１、画像修正部１２および印刷ジョブ送信部１３を有して構成されている。
印刷ジョブ送信部１３は、印刷ジョブ取得部１０で取得した印刷ジョブを印刷装置２１
０に送信し、印刷ジョブに含まれる余白設定情報に基づいてジョブチケットを生成し、生
成したジョブチケットを印刷装置２２０に送信する。
【０１２４】
図１６は、ジョブチケットのデータ構造を示す図である。
ジョブチケットは、図１６に示すように、各印刷ジョブごとにカット方式および余白長
が記述されている。ジョブチケットは、例えば、ＸＭＬ（eXtensible Markup Language）
等のマークアップ言語により記述することができる。
印刷装置２１０は、印刷ジョブ受信部２０、印刷機構２１および印刷制御部２２を有し
て構成されている。
【０１２５】
印刷装置２２０は、ジョブチケットを受信するジョブチケット受信部２５と、カット機
構２３と、ジョブチケット受信部２５で受信したジョブチケットに基づいてカット機構２
３を制御するカット制御部２４とを有して構成されている。
また、上記第１ないし第３の実施の形態において、図３、図５、図８および図１２のフ
ローチャートに示す処理を実行するにあたってはいずれも、ＲＯＭ５２にあらかじめ格納
されている制御プログラムを実行する場合について説明したが、これに限らず、これらの
手順を示したプログラムが記憶された記憶媒体から、そのプログラムをＲＡＭ５４に読み
込んで実行するようにしてもよい。
【０１２６】
ここで、記憶媒体とは、ＲＡＭ、ＲＯＭ等の半導体記憶媒体、ＦＤ、ＨＤ等の磁気記憶
型記憶媒体、ＣＤ、ＣＤＶ、ＬＤ、ＤＶＤ等の光学的読取方式記憶媒体、ＭＯ等の磁気記
憶型／光学的読取方式記憶媒体であって、電子的、磁気的、光学的等の読み取り方法のい
かんにかかわらず、コンピュータで読み取り可能な記憶媒体であれば、あらゆる記憶媒体
を含むものである。
【図面の簡単な説明】
【０１２７】
【図１】本発明を適用するネットワークシステムの構成を示すブロック図である。
【図２】ホスト端末１００のハードウェア構成を示す図である。
【図３】画像連続印刷処理を示すフローチャートである。
【図４】隣接画像群の各境界部分に対してグラデーション処理を施す場合を示す図である。
【図５】画像連続印刷処理を示すフローチャートである。
【図６】隣接画像群の各境界部分に対して画像合成処理を施す場合を示す図である。
【図７】本発明を適用するネットワークシステムの構成を示すブロック図である。
【図８】印刷ジョブ取得処理を示すフローチャートである。
【図９】要求された印刷ジョブの状態を示す図である。
【図１０】境界余白対応テーブル４００のデータ構造を示す図である。
【図１１】ジョブスケジュールツリー４２０の論理構造を示す図である。
【図１２】印刷ジョブスケジューリング処理を示すフローチャートである。
【図１３】隣接する２つの画像のドットデータを模式的に示したものである。
【図１４】印刷装置２００で実行する印刷制御処理を示すフローチャートである。
【図１５】本発明を適用するネットワークシステムの構成を示すブロック図である。
【図１６】ジョブチケットのデータ構造を示す図である。
【符号の説明】
【０１２８】
１００…ホスト端末、  ２００、２１０、２２０…印刷装置、  １０…印刷ジョブ取得部
、  １１…カット誤差情報取得部、  １２…画像修正部、  １３…印刷ジョブ送信部、  
３０…印刷ジョブキュー、  ３１…印刷ジョブ取得部、  ３２…印刷ジョブ登録部、  ３
３…余白判定部、  ３４…向き決定部、  ２０…印刷ジョブ受信部、  ２１…印刷機構、
２２…印刷制御部、  ２３…カット機構、  ２４…カット制御部、  ２５…ジョブチケ
ット受信部、  ５０…ＣＰＵ、  ５２…ＲＯＭ、  ５４…ＲＡＭ、  ５８…Ｉ／Ｆ、  ６
０…入力装置、  ６２…記憶装置、  ６４…表示装置、  １９９…ネットワーク、  ４０
０…境界余白対応テーブル、  ４２０…ジョブスケジュールツリー
【図１】
2007293658.tif 000003
【図２】
2007293658.tif 000004
【図３】
2007293658.tif 000005
【図４】
2007293658.tif 000006
【図５】
2007293658.tif 000007
【図６】
2007293658.tif 000008
【図７】
2007293658.tif 000009
【図８】
2007293658.tif 000010
【図９】
2007293658.tif 000011
【図１０】
2007293658.tif 000012
【図１１】
2007293658.tif 000013
【図１２】
2007293658.tif 000014
【図１３】
2007293658.tif 000015
【図１４】
2007293658.tif 000016
【図１５】
2007293658.tif 000017
【図１６】
2007293658.tif 000018